(57)【要約】  カメラ支持具であって、ベース（１）と複数個の支持脚（２）を含み、複数個の支持脚はベースの周囲に順に設けられ、ベースの周囲には複数個の連結用突出部（１１）が環状に設けられており、各連結用突出部の外周面には複数個の歯部（１３）が順に設けられる。支持脚は、位置決めフック（２２）、球体（２４）、スプリング（２５）、嵌入部品（２６）、軸部スリーブ（２７）及び支持脚棒体（２８）を含む。球体及びスプリングは上から下の方向に沿って嵌入部品の内部に取付けられ、位置決めフックは嵌入部品の上部の中間に固定設置されるとともに球体と接触する。嵌入部品は軸部スリーブ内に設置される。軸部スリーブの一端はベース上の連結用突出部に連結され、他端は支持脚棒体上に取付けられる。そのカメラ支持具は支持脚を２つの方向に開放し、撮影の効率を向上させることができる。
2015534136.tif 000002
【特許請求の範囲】
【請求項１】
ベース（１）と複数個の支持脚（２）を含み、前記複数個の支持脚（２）はベース（１）の周囲に順に設けられ、前記ベース（１）の周囲には複数個の連結用突出部（１１）が環状に設けられており、前記各連結用突出部（１１）の外周面には複数個の歯部（１３）が順に設けられている新型カメラ支持具であって、
前記各支持脚（２）は、位置決めフック（２２）、球体（２４）、スプリング（２５）、嵌入部品（２６）、軸部スリーブ（２７）及び支持脚棒体（２８）を含み、前記球体（２４）及びスプリング（２５）は上から下の方向に沿って嵌入部品（２６）の内部に取付けられ、前記位置決めフック（２２）は嵌入部品（２６）の上部の中間に固定設置され、該位置決めフック（２２）と球体（２４）は接触し、前記嵌入部品（２６）は軸部スリーブ（２７）内に設置され、前記軸部スリーブ（２７）の一端はベース（１）上の連結用突出部（１１）に連結され、該軸部スリーブ（２７）の他端は支持脚棒体（２８）上に取付けられることを特徴とする新型カメラ支持具。
【請求項２】
前記位置決めフック（２２）の外周面にはロック部（２１）が設置されることを特徴とする請求項１に記載の新型カメラ支持具。
【請求項３】
前記位置決めフック（２２）の中間部位には固定環部（２３）が設置されることを特徴とする請求項１に記載の新型カメラ支持具。
【請求項４】
前記軸部スリーブ（２７）にはピン孔が形成され、該ピン孔にはピンが設置されることを特徴とする請求項１に記載の新型カメラ支持具。
【発明の詳細な説明】
【技術分野】
【０００１】
本発明は、カメラ支持具に関し、特に新型カメラ支持具に関するものである。
【背景技術】
【０００２】
社会の発展と人々の生活品質の向上に伴い、人たちの欲求は、食べ物及び着物などの基本的な物質的欲求のみを求めることから、レベルがより高い精神的欲求を求めることに発展している。撮影装置は、人たちが外出旅行又はレジャー生活をするとき、生活エピソード又は自然風景などを記録する装置である。撮影装置は一般の家庭にも普及しているが、アマチュアのカメラマンであるか或いはプロのカメラマンであっても、撮影装置を手に持って撮影をするとき、色々な影響、例えば手振れ、足元の滑りなどのような影響を受けることにより、撮影して得た写真の品質を確保することができない。このため、カメラ又は撮影装置を使用するとき、使用者は三角形の支持具で撮影装置を固定することにより、一層綺麗であり、品質がよい写真を撮ることができる。しかし、現在市場で販売されている三角形の支持具は下記の問題を有している。すなわち、支持脚の開放角度が制限され、かつ支持脚を１つの方向にしか開放することができないので、撮影需要を充分に満たすことができない。
【発明の概要】
【発明が解決しようとする課題】
【０００３】
本発明の目的は、従来技術の欠陥及び不足を解決でき、構造が簡単であり、設計が合理的であり、使用が便利である新型カメラ支持具を提供することにある。このカメラ支持具において、複数個の支持脚はベース上に順に設置され、支持脚は、該支持脚内に設けられた位置決め装置のロック部によりベース上に設けられた連結用突出部の周囲の歯部と噛み合い、かつ前後方向に１８０度回転することができる。これによって、撮影需要を最大限に満たすことができ、かつ操作が簡単であり、使用が便利であるという利点を有している。かつ（支持脚が）前後方向に１８０度開放できることにより、撮影の効率を向上させることができる。
【課題を解決するための手段】
【０００４】
上述した目的を実現するため、本発明は下記の技術事項を採用する。
新型カメラ支持具であって、ベースと複数個の支持脚を含む。前記複数個の支持脚はベースの周囲に順に設けられ、前記ベースの周囲には複数個の連結用突出部が環状に設けられている。前記各連結用突出部の外周面には複数個の歯部が順に設けられている。前記各支持脚は、位置決めフック、球体、スプリング、嵌入部品、軸部スリーブ及び支持脚棒体を含む。前記球体及びスプリングは、上から下の方向に沿って嵌入部品の内部に取付けられる。前記位置決めフックは嵌入部品の上部の中間に固定設置され、該位置決めフックと球体は接触する。前記嵌入部品は軸部スリーブ内に設置される。前記軸部スリーブの一端はベース上の連結用突出部に連結され、該軸部スリーブの他端は支持脚棒体上に取付けられる。
【０００５】
本発明の実施例において、前記連結用突出部上には軸孔が更に形成される。
【０００６】
本発明の実施例において、前記位置決めフックの外周面にはロック部が更に設置される。
【０００７】
本発明の実施例において、前記位置決めフックの中間部位には固定軸部が更に設置される。
【０００８】
本発明の実施例において、前記軸部スリーブにはピン孔が更に形成され、ピン孔にはピンが設置される。
【０００９】
本発明の実施例において、前記支持脚の数量とベースの周囲に取付けられた連結用突出部の数量とは同様である。
【発明の効果】
【００１０】
上述した構造を採用することにより、本発明は下記の発明の効果を奏することができる。本発明のカメラ支持具において、複数個の支持脚はベース上に順に設置され、支持脚は、該支持脚内に設けられた位置決め装置のロック部によりベース上に設けられた連結用突出部の周囲の歯部と噛み合い、かつ前後方向に１８０度回転することができる。このため、本発明は、撮影需要を最大限に満たすことができ、かつ操作が簡単であり、使用が便利であるという利点を有している。また、（支持脚が）前後方向に１８０度開放できることにより、撮影の効率を向上させることができる。
【図面の簡単な説明】
【００１１】
【図１】本発明の新型カメラ支持具の構造を示す図である。
【図２】図１のＡ部位を示す拡大図である。
【発明を実施するための形態】
【００１２】
以下、添付図面によって本発明をより詳細に説明する。
【００１３】
図１に示すとおり、本発明に係る新型カメラ支持具はベース１と複数個の支持脚２を含み、前記複数個の支持脚２はベース１の周囲に順に設けられる。前記ベース１の周囲には複数個の連結用突出部１１が環状に設けられている。前記各連結用突出部１１の外周面には複数個の歯部１３が順に設けられている。前記各支持脚２は、位置決めフック２２、球体２４、スプリング２５、嵌入部品２６、軸部スリーブ２７及び支持脚棒体２８を含み、前記球体２４及びスプリング２５は、上から下の方向に沿って嵌入部品２６の内部に取付けられる。前記位置決めフック２２は嵌入部品２６の上部の中間に固定設置され、該位置決めフック２２と球体２４は接触する。前記嵌入部品２６は軸部スリーブ２７内に設置される。前記軸部スリーブ２７の一端はベース１上の連結用突出部１１に連結され、該軸部スリーブ２７の他端は支持脚棒体２８上に取付けられる。
【００１４】
本発明の好ましい実施例として、前記連結用突出部１１上に軸孔１２を形成することができる。
【００１５】
本発明の好ましい実施例として、前記位置決めフック２２の外周面にロック部２１を設置する。
【００１６】
本発明の好ましい実施例として、前記位置決めフック２２の中間部位に固定環部２３を設置する。
【００１７】
本発明の好ましい実施例として、前記軸部スリーブ２７にピン孔を形成し、ピン孔にピンを設置する。
【００１８】
本発明の好ましい実施例として、前記支持脚２の数量とベース１の周囲に取付けられた連結用突出部１１の数量とを同様にする。
【００１９】
本発明が支持脚を正方向に開放することを採用する場合、支持脚を開放するとき、まず、位置決めフック２２を上方向にクリックするとともに支持脚棒体２８を回転させることにより、位置決めフック２２のロック部２１をベース１の連結用突出部１１の歯部１３に結合させ、かつ支持脚棒体２８を第一位置から第二位置まで回転させる。次に、位置決めフック２２を下方向にクリックするとともに上述した動作を繰り返すことにより、支持脚棒体２８を第二位置から第三位置まで回転させる。最後に、位置決めフック２２を下方向にクリックするとともに上述した動作を繰り返すことにより、支持脚棒体２８を９０度まで回転させる。支持脚を反対方向に開放する場合、このステップは支持脚を正方向に開放するステップと反対であり、支持脚棒体２８を９０度まで回転させることができる。これにより、本発明は支持脚棒体２８を２つの方向に開放し、かつこの回転角度を１８０度にすることができる。
【００２０】
本発明が複数個の支持脚をベース上に順に設置することを採用する場合、支持脚は、該支持脚内に設けられた位置決め装置のロック部によりベース上に設けられた連結用突出部の周囲の歯部と噛み合い、かつ２つの方向に１８０度回転することができる。したがって、撮影需要を最大限に満たすことができ、かつ操作が簡単であり、使用が便利であるという利点を有している。かつ、（支持脚棒体が）前後方向に１８０度回転できることにより、撮影の効率を向上させることができる。
【００２１】
以上、本発明の好適な実施例を詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【符号の説明】
【００２２】
１  ベース
２  支持脚
１１  連結用突出部
１２  軸孔
１３  歯部
２１  ロック部
２２  位置決めフック
２４  球体
２５  スプリング
２６  嵌入部品
２７  軸部スリーブ
２８  支持脚棒体
【図１】
2015534136.tif 000003
【図２】
2015534136.tif 000004
【国際調査報告】
2015534136.tif 000005
2015534136.tif 000006
2015534136.tif 000007
2015534136.tif 000008
2015534136.tif 000009
2015534136.tif 000010